(57)【要約】【課題】  表示領域だけでなく非表示領域も透明であり、非表示時において背面側全体より入射する透過光が視認可能な液晶表示パネルであって、良好な視認性を得ることができる液晶表示パネルを提供する。【解決手段】    一対の透明基板４と、透明基板４の周縁に設けられたシール材２と、両透明基板４およびシール材２により囲まれた内部に封入された液晶３と、内部に液晶３を封入するためシール材２に形成された注入口５と、注入口５を封止する封止材６と、両透明基板４の内面における表示領域８に設けられた配向膜９とを有し、配向膜９を、注入口５内の封止材６が配設されていない領域を覆うように延出して設ける。【選択図】      図１
2006126675.tif 000002
【特許請求の範囲】
【請求項１】
一対の透明基板と、
前記透明基板の周縁に設けられたシール材と、
前記両透明基板および前記シール材により囲まれた内部に封入された液晶と、
前記内部に前記液晶を封入するため前記シール材に形成された注入口と、
前記注入口を封止する封止材と、
前記両透明基板の内面のうち前記表示領域に設けられた配向膜とを有し、
前記配向膜が、前記注入口内の前記封止材が配設されていない領域を覆うように延出して設けられていることを特徴とする液晶表示パネル。
【請求項２】
前記シール材および前記封止材が透明であり、前記液晶が電圧無印加時に光を透過し、電圧印加時に光を散乱する液晶である請求項１に記載の液晶表示パネル。
【発明の詳細な説明】
【技術分野】
【０００１】
本発明は液晶表示パネルに係り、特に、液晶表示パネルとして表示を行う表示領域だけでなく、非表示領域も含めた液晶表示パネル全体で背面側より入射する透過光を透過して視認させる場合に好適な液晶表示パネルに関する。
【背景技術】
【０００２】
従来より、薄型でかつ消費電力も少ない等の理由から、一対の基板の間隙に封入された液晶を駆動させて文字等の画像の表示を行う液晶表示パネルが多用されている。
【０００３】
図２は、従来の液晶表示パネルの一例の要部を示す模式的平面図であり、図２に示すように、従来の液晶表示パネル１１においては、一対の透明基板１４の相互に対向する内面の外周縁に、シール材１２が設けられ、両透明基板１４は、このシール材１２により一体に形成されている。
【０００４】
両透明基板１４およびシール材１２に囲まれた液晶表示パネル１１の内部には、液晶１３が封入されており、シール材１２には、この液晶１３を液晶表示パネル１１の内部に封入するための注入口１５が形成されている。そして、前記注入口１５は、封止材１６によって封止されるようになっている。
【０００５】
両透明基板１４の内面におけるそれぞれ液晶表示パネル１１として表示を行う表示領域１８には、それぞれ透明電極（図示せず）が設けられており、各透明電極は、透明基板１４の端縁に延設され、駆動回路と接続されている。
【０００６】
両透明基板１４における両透明電極が相互に対向する内面の表示領域１８には、ラビング処理された配向膜１９がそれぞれ設けられており、このような各配向膜１９は、シール材１２との密着性が低くシール材１２が配向膜１９から剥離してしまうという不都合が発生するとの理由から、シール材１２の配置位置と重複しないように形成されている。
【０００７】
このような液晶表示パネル１１は、各配向膜１９によって液晶１３が所定の角度に配向されており、前記駆動回路を介して所望の電極に駆動電圧を印加することにより、液晶１３を駆動させて文字等の所望の画像を表示するようになっている。
【０００８】
ここで、近年、非表示領域２０を被覆するための枠体を設けず、非表示時において表示領域１８だけでなく非表示領域２０を含めた液晶表示パネル１１の全体で背面側より入射する透過光を透過して視認可能な透明感のある透明表示体としての液晶表示パネル１１が、特殊な視認性を得ることができる等の理由により用いられるようになっている。
【０００９】
この背面側全体より入射する透過光を透過して視認可能な液晶表示パネル１１は、例えば、表示領域１８において、各配向膜１９によって透過光を透過させる角度に液晶１３を配向させることにより、背面側より入射する透過光を視認することができるようになっており、所望の液晶１３を駆動させて透過光を散乱することにより、所望の表示を行うようになっている。さらに、表示領域１８だけでなく、表示領域１８の周辺であって表示を行わない非表示領域２０においても、例えばシール材１２や封止材１６の材料として透明の材料を用いることにより、背面側より入射する透過光を視認することができるようになっている。
【００１０】
しかし、従来の液晶表示パネル１１においては、配向膜１９がシール材１２に重複しないように形成されており、注入口１５内には形成されていない。このため、注入口１５に位置する液晶１３を所定の角度に配向させることができず、この結果、注入口１５に位置する液晶１３を介して透過光を確実に透過させることができず、注入口１５の部分が白濁してしまっていた。すなわち、非表示時において表示領域１８だけでなく非表示領域２０においても背面側より入射する透過光が視認可能な液晶表示パネル１１において、一部分のみが白濁してしまい、良好な視認性を得ることができないという問題を有していた。
【発明の開示】
【発明が解決しようとする課題】
【００１１】
本発明はこれらの点に鑑みてなされたものであり、表示領域だけでなく非表示領域も透明であり、非表示時において背面側全体より入射する透過光が視認可能な液晶表示パネルであって、良好な視認性を得ることができる液晶表示パネルを提供することを目的とする。
【課題を解決するための手段】
【００１２】
前記目的を達成するため、本発明に係る液晶表示パネルの特徴は、一対の透明基板と、前記透明基板の周縁に設けられたシール材と、前記両透明基板および前記シール材により囲まれた内部に封入された液晶と、前記内部に前記液晶を封入するため前記シール材に形成された注入口と、前記注入口を封止する封止材と、前記両透明基板の内面のうち前記表示領域に設けられた配向膜とを有し、前記配向膜が、前記注入口内の前記封止材が配設されていない領域を覆うように延出して設けられている点にある。
【００１３】
本発明によれば、注入口内に配向膜が延出して封止材に当接するか或いは重複するように形成されているので、表示領域に位置する液晶と同様に、注入口に位置する液晶を所定の角度に配向させることができ、これにより、注入口においても、所定の角度に配向された液晶を介して透過光を確実に透過させることができる。
【００１４】
特に、前記シール材および前記封止材が透明であることが好ましく、前記液晶が電圧無印加時に光を透過し、電圧印加時に光を散乱する液晶であることが好ましい。これにより、表示パネル全体が透明感のある透明表示体として見栄えのよい液晶表示パネルを得ることができる。
【発明の効果】
【００１５】
以上述べたように、本発明に係る液晶表示パネルによれば、注入口においても白濁することなく、背面側を透過して視認することができ、これにより、表示領域だけでなく非表示領域においても、視認性のよい液晶表示パネルを得ることができる。
【発明を実施するための最良の形態】
【００１６】
以下、本発明に係る液晶表示パネルの一実施形態を図１を参照して説明する。
【００１７】
図１は、本実施形態に係る液晶表示パネルの要部を示す模式的平面図であり、図１に示すように、液晶表示パネル１は、ガラス等からなる一対の透明基板４を有している。
【００１８】
両透明基板４における相互に対向する内面の外周縁には、透明材料からなるシール材２が設けられており、両透明基板４は、シール材２によって一体に形成されている。ここで、シール材２には透明材料が用いられており、これにより、液晶表示パネル１はシール材２の形成位置において背面側より入射する透過光を透過して視認することができるようになっている。
【００１９】
両透明基板４およびシール材２に囲まれた液晶表示パネル１の内部には、電圧無印加時に光を透過し、電圧印加時に光を散乱する液晶３およびスペーサ（図示せず）が封入されている。
【００２０】
そして、シール材２には、液晶３を液晶表示パネル１の内部に封入するための注入口５が、液晶表示パネル１の外部から内部に貫通するように形成されており、注入口５は、透明材料からなる封止材６によって封止されるようになっている。ここで、封止材６には透明材料が用いられており、これにより、液晶表示パネル１は封止材６の配置位置において背面側より入射した透過光を透過して視認することができるようになっている。
【００２１】
両透明基板４の内面であって液晶表示パネル１として表示を行う表示領域８には、ＩＴＯ（Indium Tin Oxide：インジウムスズ酸化物）等からなる透明表示電極（図示せず）が設けられており、各透明表示電極は、透明基板４の一端縁に延設され、図示しない駆動回路と接続されている。
【００２２】
両透明基板４における両透明表示電極が相互に対向する内面の表示領域８には、所定の方向にラビング処理が施された配向膜９がそれぞれ設けられており、配向膜９は、端縁がシール材２の内周に隣接するように形成されている。
【００２３】
また、配向膜９は、注入口５内の前記封止材６が配設されていない領域を覆うように延出し、すなわち、封止材６に当接または重複するように形成されている。
【００２４】
ここで、配向膜９の延出した端縁を封止材６に重複して設ける場合、封止材６により注入口５内を確実に封止する観点からは、注入口５内に延出形成された配向膜９の外端縁は、シール材２の外側端縁まで延出してもよいが、シール材２の外側端縁との間の幅寸法Ａ、すなわち注入口５内において配向膜９が形成されず封止材６のみが配置される部分の幅寸法Ａが０．２ｍｍ以上確保されることが好ましい。
【００２５】
本実施形態においては、注入口５内に延出形成された配向膜９の外端縁とシール材２の外側端縁との間の幅寸法Ａが約０．３ｍｍ、注入口５の形成位置に延出形成された配向膜９と封止材６との重複幅Ｂが約０．１ｍｍとなるように形成されている。
【００２６】
また、配向膜９に対するシール材２の剥離等の不良の発生を低減させる観点からは、配向膜９の端縁とシール材２の端縁との重複幅はなるべく短い方が好ましい。
【００２７】
そして、この液晶表示パネル１は、液晶表示パネル１の非表示領域１０を被覆する枠体が設けられておらず、非表示時において表示領域８だけでなく非表示領域１０を含む液晶表示パネル１の全体で背面側より入射する透過光を透過して視認することができる透明表示体として用いられる。
【００２８】
次に、本実施形態の作用について説明する。
【００２９】
本実施形態に係る液晶表示パネル１は、非表示時において、配向膜９により透過光を透過させる角度に液晶３が配向されており、これにより、液晶表示パネル１の背面側より入射する透過光を透過して視認することができるようになっている。ここで、配向膜９は、注入口５の形成位置に延出し、封止材６の配置位置に隣接するかあるいは重複するように形成されているので、注入口５に位置する液晶３も、所定の角度に配向されている。
【００３０】
また、この液晶表示パネル１は、前記駆動回路を介して所望の透明表示電極に駆動電圧を印加し液晶３を駆動させることにより、透過光を散乱させて所望の表示を行う。
【００３１】
このように、本実施形態によれば、注入口５内に配向膜９が延出して形成されているので、表示領域８に位置する液晶３と同様に注入口５に位置する液晶３を所定の角度に配向させることができ、これにより、注入口５においても、所定の角度に配向された液晶３を介して透過光を確実に透過させることができる。
【００３２】
したがって、この液晶表示パネル１によれば、注入口５においても白濁することなく、背面側より入射する透過光を透過して視認することができ、これにより、表示領域８だけでなく非表示領域１０においても、視認性のよい液晶表示パネル１を得ることができる。
【００３３】
また、表示領域８に設けられた配向膜９は、その端縁がシール材２に隣接するように形成されており、さらには注入口５内の封止材６が配設されていない領域を覆うように延出形成された配向膜９は、シール材２に当接するか或いは重複するように形成されているので、これにより、液晶表示パネル１の内部において液晶３が配向されない部分が発生してしまうのを防止することができる。このため、液晶３の封入領域の全体において、透過光を液晶表示パネル１の背面側より入射する透過光を確実に透過させることができる。
【００３４】
なお、本発明は前記実施形態に限定されるものではなく、必要に応じて種々変更することが可能である。
【図面の簡単な説明】
【００３５】
【図１】本発明に係る液晶表示パネルの一実施形態の要部を示す模式的平面図
【図２】従来の液晶表示パネルの一例の要部を示す模式的平面図
【符号の説明】
【００３６】
１  液晶表示パネル
２  シール材
３  液晶
４  透明基板
５  注入口
６  封止材
８  表示領域
９  配向膜
１０  非表示領域
【図１】
2006126675.tif 000003
【図２】
2006126675.tif 000004